(57)【特許請求の範囲】
【請求項１】
端子本体と、
端子板および鎖錠バネにより成り前記端子本体内に収納される速結端子部と、
この速結端子部への電線の挿入度合いに応じて弾性変形するバネ部、およびこのバネ部の弾性変形に応じて移動する表示部により成る表示部材とを備え、
前記バネ部は、前記端子本体内部における前記鎖錠バネの奥側で前記電線と当接する当接面部を一端側に有するＬ字状に屈曲されて成り、
前記当接面部における前記電線と当接する部分には、適用電線の導体線の外径より小さい孔または切り欠けが形成されている端子装置。
【請求項２】
前記速結端子部に前記電線を挿入してその電線が前記端子板および鎖錠バネにより弾性狭持された状態で前記当接面部に当接した後に、前記速結端子部へのその電線の挿入度合いに応じて弾性変形する請求項１記載の端子装置。
【請求項３】
前記表示部は前記バネ部の他端側の先端部分に位置し、前記端子本体は前記表示部を外部に突出させるための表示孔を有する請求項２記載の端子装置。
【請求項４】
前記バネ部は金属材料により成り、前記表示部は、絶縁材料により成り、前記バネ部の他端側の先端部分に取り付けられている請求項２または３記載の端子装置。
【請求項５】
前記表示部材は弾性を有するプラスチック材料により一体成形されて成る請求項１〜３のいずれかに記載の端子装置。
【請求項６】
前記表示部材を複数備え、これら複数の表示部材は前記端子本体内部側で絶縁性のつなぎ部を介して連設されている請求項１〜５のいずれかに記載の端子装置。
【請求項７】
前記表示部材を複数備え、これら複数の表示部材は前記端子本体内部側で一体に接続されている請求項１，２，３または５記載の端子装置。
【請求項８】
前記表示部はＬ字状に形成されて成る請求項１〜７のいずれかに記載の端子装置。
【請求項９】
前記端子本体は前記表示部の退避部を有する請求項８記載の端子装置。
【請求項１０】
前記表示部は前記バネ部の他端側に位置し、前記端子本体は前記表示部を露出させるための窓孔を有し、前記表示部は前記バネ部が弾性変形するほど前記窓孔から露出する部分が大きくなる請求項２記載の端子装置。
【請求項１１】
前記バネ部が弾性変形する前のそのバネ部の他端側における前記窓孔に対応する位置には、切り欠けまたは孔が形成されている請求項１０記載の端子装置。
【請求項１２】
前記表示部は所定の色に着色されている請求項１〜１１のいずれかに記載の端子装置。
【請求項１３】
前記窓孔にはレンズが装着されている請求項１０〜１２のいずれかに記載の端子装置。
【請求項１４】
前記表示部は熱可塑性樹脂により形成されて成る請求項１〜１３のいずれかに記載の端子装置。
【請求項１５】
前記端子本体は熱可塑性樹脂により形成されて成る請求項１〜１４のいずれかに記載の端子装置。
【請求項１６】
前記表示部材を複数備え、これら複数の表示部材の各表示部は、電圧極が同極の他の表示部と同じ色に着色されている請求項１〜１５のいずれかに記載の端子装置。
【請求項１７】
前記速結端子部に前記電線を挿入する前の前記表示孔からの前記表示部材の突出長は、電線のストリップ長になっている請求項１〜９，１２および１４〜１６のいずれかに記載の端子装置。
【発明の詳細な説明】
【０００１】
【発明の属する技術分野】
本発明は、例えばいわゆる１個または複数個モジュールサイズのスイッチまたはコンセントなどに適用可能な端子装置に関するものである。
【０００２】
【従来の技術】
従来、この種の端子装置に表示部材が端子板への電線の接続状態を示す目安として具備される場合があり、回転式およびラッチ式の表示部材が存在している。このように端子装置に表示部材を設けることで、端子板への電線の接続状態が分かるので、不必要に電線を挿入するなどの操作が防止される。
【０００３】
【発明が解決しようとする課題】
しかしながら、回転式の表示部材では、複数極の場合には別部品となり組立て性などが悪くなる。また、大きなスペースを必要とする。同様に、ラッチ式の表示部材でも複数極の場合には別部品となり組立て性などが悪くなり、また大きなスペースを必要とする。なお、回転式の表示部材では、作動時に色が変わるだけで変化に乏しく分かり難いという問題もある。
【０００４】
本発明は、上記事情に鑑みてなされたものであり、大きなスペースを必要としない表示部材を備えた端子装置を提供することを目的とする。
【０００５】
【課題を解決するための手段】
上記課題を解決するために請求項１記載の発明の端子装置は、端子本体と、端子板および鎖錠バネにより成り前記端子本体内に収納される速結端子部と、この速結端子部への電線の挿入度合いに応じて弾性変形するバネ部、およびこのバネ部の弾性変形に応じて移動する表示部により成る表示部材とを備え、前記バネ部は、前記端子本体内部における前記鎖錠バネの奥側で前記電線と当接する当接面部を一端側に有するＬ字状に屈曲されて成り、前記当接面部における前記電線と当接する部分には、適用電線の導体線の外径より小さい孔または切り欠けが形成されているのである。
【０００６】
この構成では、バネ部と表示部とにより表示部材が構成されるので、表示部材は大きなスペースを必要としなくなる。また、挿入した電線が適用電線より径の小さいことを作業者に認識させることができるので、適用電線よりも径の小さい電線の使用を防止することが可能になる。
【０００７】
なお、請求項１記載の端子装置において、前記速結端子部に前記電線を挿入してその電線が前記端子板および鎖錠バネにより弾性狭持された状態で前記当接面部に当接した後に、前記速結端子部へのその電線の挿入度合いに応じて弾性変形する構造でもよい（請求項２）。この構造では、表示部が移動すれば電線が速結端子部に適切に接続されたのが分かるようになる。
【０００８】
また、請求項２記載の端子装置において、前記表示部は前記バネ部の他端側の先端部分に位置し、前記端子本体は前記表示部を外部に突出させるための表示孔を有する構造でもよい（請求項３）。この構造では、表示部が表示孔に隠れる方向に移動すると、電線が速結端子部に適切に接続されたのが分かるようになる。
【０００９】
また、請求項２または３記載の端子装置において、前記バネ部は金属材料により成り、前記表示部は、絶縁材料により成り、前記バネ部の他端側の先端部分に取り付けられている構造でもよい（請求項４）。この構造では、表示部が移動すれば電線が速結端子部に適切に接続されたのが分かるようになる。
【００１０】
また、請求項１〜３のいずれかに記載の端子装置において、前記表示部材は弾性を有するプラスチック材料により一体成形されて成る構造でもよい（請求項５）。この構造では、表示部材が１部品となるので、部品点数の増大が抑制されるようになる。
【００１１】
また、請求項１〜５のいずれかに記載の端子装置において、前記表示部材を複数備え、これら複数の表示部材は前記端子本体内部側で絶縁性のつなぎ部を介して連設されている構造でもよい（請求項６）。この構造によれば、表示部材の位置決めが容易になる。
【００１２】
また、請求項１，２，３または５記載の端子装置において、前記表示部材を複数備え、これら複数の表示部材は前記端子本体内部側で一体に接続されている構造でもよい（請求項７）。この構造によれば、表示部材の組込みが容易になる。
【００１３】
また、請求項１〜７のいずれかに記載の端子装置において、前記表示部はＬ字状に形成されて成る構造でもよい（請求項８）。この構造によれば、表示部の視認性が向上するようになる。
【００１４】
また、請求項８記載の端子装置において、前記端子本体は前記表示部の退避部を有する構造でもよい（請求項９）。この構造では、表示部が退避部に退避すると、例えば表示部が隠れて見えなくなるので、表示部の移動時の変化が分かりやすくなる。
【００１５】
また、請求項２記載の端子装置において、前記表示部は前記バネ部の他端側に位置し、前記端子本体は前記表示部を露出させるための窓孔を有し、前記表示部は前記バネ部が弾性変形するほど前記窓孔から露出する部分が大きくなる構造でもよい（請求項１０）。この構造によれば、端子本体からの表示部材の突出をなくすことが可能になる。
【００１６】
また、請求項１０記載の端子装置において、前記バネ部が弾性変形する前のそのバネ部の他端側における前記窓孔に対応する位置には、切り欠けまたは孔が形成されている構造でもよい（請求項１１）。この構造によれば、窓孔における表示部の有無の変化が分かりやすくなる。
【００１７】
また、請求項１〜１１のいずれかに記載の端子装置において、前記表示部は所定の色に着色されている構造でもよい（請求項１２）。この構造によれば、表示部の視認性が向上する。
【００１８】
また、請求項１０〜１２のいずれかに記載の端子装置において、前記窓孔にはレンズが装着されている構造でもよい（請求項１３）。この構造よれば、表示部の視認性が向上する。
【００１９】
また、請求項１〜１３のいずれかに記載の端子装置において、前記表示部は熱可塑性樹脂により形成されて成る構造でもよい（請求項１４）。この構造によれば、位置決めおよび組込みが容易になる。
【００２０】
また、請求項１〜１４のいずれかに記載の端子装置において、前記端子本体は熱可塑性樹脂により形成されて成る構造でもよい（請求項１５）。この構造によれば、位置決めおよび組込みが容易になる。
【００２２】
また、請求項１〜１５のいずれかに記載の端子装置において、前記表示部材を複数備え、これら複数の表示部材の各表示部は、電圧極が同極の他の表示部と同じ色に着色されている構造でもよい（請求項１６）。この構造によれば、電圧極の区別が容易になる。
【００２３】
さらに、請求項１〜９，１２および１４〜１６のいずれかに記載の端子装置において、前記速結端子部に前記電線を挿入する前の前記表示孔からの前記表示部材の突出長は、電線のストリップ長になっている構造でもよい（請求項１７）。この構造によれば、電線のシースの剥きしろが分かりやすくなる。
【００２４】
【発明の実施の形態】
図１は本発明の第１実施形態に係る端子装置を示す断面図、図２は図１に示す端子装置に電線が挿入された状態を示す図、図３は第１実施形態の表示部材を示す斜視図、図４はその断面図で、これらの図を用いて以下に第１実施形態の説明を行う。
【００２５】
図１に示す端子装置１ａは、例えば壁面などに取付枠などを介して埋め込まれるいわゆる１個モジュールサイズのスイッチまたはコンセントなどであり、熱可塑性樹脂などの絶縁材料により形成されるボディ２１ａおよびカバー２２ａにより成る端子本体２ａを備え、従来のスイッチまたはコンセントなどと同様に、金属材料により形成される端子板３１ａおよび鎖錠バネ３２ａをそれぞれが有して成る複数の速結端子部３ａ、および各速結端子部３ａによる電線に対する係合を解除するための解除釦５ａなどを上記端子本体２ａに内蔵している。
【００２６】
その他従来のスイッチまたはコンセントなどと同様の構成については周知であるのでその説明は省略し、第１実施形態の特徴となる構成について説明すると、端子装置１ａには、各速結端子部３ａへの電線Ｗ（図２参照）の挿入度合いに応じて弾性変形する板バネにより成るバネ部４１ａ、およびこのバネ部４１ａの弾性変形に応じて移動する表示部４２ａにより成る表示部材４ａがさらに具備されている。
【００２７】
バネ部４１ａは、端子本体２ａ内部における鎖錠バネ３２ａの奥側で電線Ｗの導体線ＣＷと当接する当接面部４１１ａを一端側（図１では左端側）に有するＬ字状に金属材料を屈曲して成り（図３参照）、対応する速結端子部３ａに電線Ｗを挿入して電線Ｗの導体線ＣＷが端子板３１ａおよび鎖錠バネ３２ａにより弾性狭持された状態で当接面部４１１ａに当接した後に、対応する速結端子部３ａへの電線Ｗの挿入度合いに応じて弾性変形する。ここで、端子本体２ａのカバー２２ａの内部には、バネ部４１ａの一端側の先端部分を鎖錠バネ３２ａの奥側部分に押圧する突部２２１ａが形成されている。
【００２８】
表示部４２ａは、例えば熱可塑性樹脂などの絶縁材料により成る成型品で、図４に示すように、バネ部４１ａの他端側の先端部分が嵌入される溝４２１ａを有している。そして、表示部４２ａは、溝４２１ａにバネ部４１ａの他端側の先端部分を嵌入（圧入）することにより、その先端部分に取り付けられるのである。ここで、端子本体２ａのボディ２１ａには、表示部４２ａを外部に突出させるための表示孔２１２ａが対応する速結端子部３ａ用の電線挿入孔２１３ａの近傍、図１の例では上側に穿設されている。
【００２９】
次に、第１実施形態の特徴となる各表示部材４ａの動作を説明する。まず、電線Ｗが速結端子部３ａに挿入されていない場合には、図１に示すように、その速結端子部３ａに対応する表示部材４ａは、この表示部４２ａが表示孔２１２ａから端子本体２ａの外部に突出した状態になっている。
【００３０】
この状態で、電線挿入孔２１３ａから電線Ｗの導体線ＣＷを挿入すると、導体線ＣＷは、端子板３１ａおよび鎖錠バネ３２ａにより弾性狭持され、この後、表示部材４ａの当接面部４１１ａに当接する。さらに電線Ｗを挿入すると、電線Ｗの挿入度合いに応じて表示部材４ａのバネ部４１ａが弾性変形し、このバネ部４１ａの弾性変形に応じて表示部４２ａが端子本体２ａ内部に移動して隠れる（図２参照）。この状態では、図２から分かるように、電線Ｗの導体線ＣＷは速結端子部３ａに確実に接続している。つまり、表示部材４ａの表示部４２ａが端子本体２ａ内部に隠れた状態になると、電線Ｗの導体線ＣＷが速結端子部３ａに確実に接続したことが分かるのである。
【００３１】
なお、図２の状態では、表示部材４ａの一端側の先端部分がカバー２２ａの突部２２１ａと鎖錠バネ３２ａの奥側部分とで狭持されて支点となり、バネ部４１ａの弾性変形に応じた付勢力が表示部４２ａを外部に押し出す方向に働いているので、解除釦５ａを押下して電線Ｗを引き抜けば図１の状態に戻る。
【００３２】
以上により、表示部材４ａはほとんどが板バネであるので大きなスペースを必要とせず、また表示部４２ａそのものが移動して見え隠れするので、省スペースで変化の分かりやすい効果が得られる。
【００３３】
図５は本発明の第２実施形態に係る端子装置を示す断面図、図６は第２実施形態の表示部材を示す斜視図、図７は図６に示す表示部材の端子本体内への収納の様子を示す図で、これらの図を用いて以下に第２実施形態の説明を行う。
【００３４】
図５に示す端子装置１ｂは、端子本体２ａおよび複数の速結端子部３ａなどを第１実施形態と同様に備えているほか、第１実施形態との相違点として、各速結端子部３ａへの電線の挿入度合いに応じて弾性変形するバネ部４１ｂと、このバネ部４１ｂの弾性変形に応じて移動する表示部４２ｂとが例えば熱可塑性樹脂などのプラスチック材料により一体成形されて成る表示部材４ｂを備えている。
【００３５】
バネ部４１ｂは、端子本体２ａ内部における鎖錠バネ３２ａの奥側で電線の導体線と当接する当接面部４１１ｂを一端側に有するＬ字状に屈曲されて成り（図６参照）、対応する速結端子部３ａに電線を挿入してその電線の導体線が端子板３１ａおよび鎖錠バネ３２ａにより弾性狭持された状態で当接面部４１１ｂに当接した後に、対応する速結端子部３ａへの電線の挿入度合いに応じて弾性変形する。なお、表示部４２ｂはバネ部４１ｂの他端側の先端部分に位置する。
【００３６】
上記構造の表示部材４ｂは、図７に示すように、表示部４２ｂが表示孔２１２ａから突出するように表示部材４ｂをボディ２１ａに収納して、ボディ２１ａおよびカバー２２ａを固定すれば、図５に示すように、当接面部４１１ｂの先端部分がカバー２２ａの突部２２１ａと鎖錠バネ３２ａの奥側部分とで狭持される。
【００３７】
図８は図６に示す表示部材の作動の様子を示す図で、この図を用いて次に第２実施形態の特徴となる各表示部材４ｂの動作を説明する。ただし、図８（ｂ），（ｄ）はそれぞれ（ａ），（ｃ）の断面図に対応する正面図である。また、２１４ａは解除ボタンの操作用の孔である。
【００３８】
電線が速結端子部３ａに挿入されていない場合、図８（ａ），（ｂ）に示すように、その速結端子部３ａに対応する表示部材４ｂは、この表示部４２ｂが表示孔２１２ａから端子本体２ａの外部に突出した状態になっている。
【００３９】
この状態で、電線挿入孔２１３ａから電線の導体線を挿入すると、その導体線は、端子板３１ａおよび鎖錠バネ３２ａにより弾性狭持され、この後、表示部材４ｂの当接面部４１１ｂに当接する。さらに電線を挿入すると、その電線の挿入度合いに応じてバネ部４１ｂ、すなわち表示部材４ｂが弾性変形し、バネ部４１ｂの弾性変形に応じて、図８（ｃ）に示すように表示部４２ｂが端子本体２ａ内部に移動して隠れる。この状態では、電線の導体線は速結端子部３ａに確実に接続している。つまり、表示部材４ｂの表示部４２ｂが端子本体２ａ内部に隠れた状態になると、電線の導体線が速結端子部３ａに確実に接続したことが分かるのである。
【００４０】
以上により、表示部材４ｂは大きなスペースを必要とせず、また表示部４２ｂそのものが移動して見え隠れするので、省スペースで変化の分かりやすい効果が得られる。また、表示部材４ｂは１部品であるので、全体としての部品点数の増大が抑制される。
【００４１】
なお、第１および第２実施形態では、各表示部材は個別に端子本体内に収納される構成になっているが、これに限らず、第１実施形態の場合には、図９に示すように、複数の表示部材４ａは、各当接面部４１１ａの先端部分が溝４３１ａに嵌入（圧入）される絶縁性のつなぎ部４３ａを介して連設される構成でもよい。これにより、各表示部材４ａの位置決めが容易になる。また、第２実施形態の場合には、図１０に示すように、複数の表示部材４ｂは、端子本体内部側でつなぎ部４３ｂにより一体に接続される構成でもよい。これにより、取り扱いが容易になって組込み容易となる。さらに、図１０に示す例の場合、組込み後の様子が図１１に示すようになり、当接面部４１１ｂがカバー２２ａの突部２２１ａと鎖錠バネ３２ａの奥側部分とで狭持されるとともに、つなぎ部４３ｂが鎖錠バネ３２ａと収納室２１１ａの隔壁とで狭持されるので、各表示部材４ｂが強固に支持されることになる。
【００４２】
図１２は本発明の第３実施形態に係る端子装置の表示部材などを示す図で、この図を用いて以下に第３実施形態の説明を行う。ただし、図１２（ｂ），（ｄ）はそれぞれ（ａ），（ｃ）の断面図に対応する正面図である。
【００４３】
本端子装置は、各速結端子部３ａへの電線の挿入度合いに応じて弾性変形するバネ部４１ｃと、このバネ部４１ｃの弾性変形に応じて移動する表示部４２ｃとが例えば熱可塑性樹脂などのプラスチック材料により一体成形されて成る表示部材４ｃを備える以外は第２実施形態と同様に構成される。
【００４４】
バネ部４１ｃは、第２実施形態のバネ部４１ｂと同様に、端子本体内部における鎖錠バネの奥側で電線の導体線と当接する当接面部を一端側に有するＬ字状に屈曲されるとともに（図６参照）、図１２（ａ）に示すように他端側の先端部分がさらに下方に屈曲されて成り、対応する速結端子部３ａに電線を挿入してその電線の導体線が端子板３１ａおよび鎖錠バネ３２ａにより弾性狭持された状態で当接面部に当接した後に、対応する速結端子部３ａへの電線の挿入度合いに応じて弾性変形する。なお、表示部４２ｃはバネ部４１ｃの他端側の先端部分に位置する。
【００４５】
上記のように、バネ部４１ｃの他端側の先端部分を屈曲すると、図１２（ｂ）に示すように、表示部４２ｃが目立つようになるので、視認性が向上することになる。
【００４６】
図１３は本発明の第４実施形態に係る端子装置のボディなどを示す図で、この図を用いて以下に第４実施形態の説明を行う。ただし、図１３（ｂ），（ｄ）はそれぞれ（ａ），（ｃ）の断面図に対応する正面図である。
【００４７】
本端子装置は、各表示部材４ｃの表示部４２ｃの退避部２１５ｂがさらに形成されて成るボディ２１ｂを備える以外は第３実施形態と同様に構成される。図１３の例では、表示孔２１２ａは、表示部材４ｃの他端側が挿通されるいわば通路になっているのであるが、その出口の若干奥側から内部にかけて通路の断面が外面側（図では上側）のみ大きくなる形状になっている。
【００４８】
上記のようにボディ２１ｂに退避部２１５ｂを設ければ、表示部４２ｃは、電線の挿入に応じて移動して表示孔２１２ａ内に隠れるとき、退避部２１５ｂに退避することになるので、図１３（ｄ）の左方の表示孔２１２ａに示すように、外部から表示部４２ｃが見えなくなる。これにより、表示部４２ｃが移動して見え隠れする際の変化がさらに大きくなる。
【００４９】
なお、上記第２〜第４実施形態では、各表示部材はバネ部と表示部とが一体成形され、そのままでは表示部が分かり難いので、表示部に所定の色を着色するようにしてもよい。ここで、その一例を図１４に示す。この図における表示部材４ｄは、速結端子部３ａへの電線の挿入度合いに応じて弾性変形するバネ部４１ｄと、このバネ部４１ｄの弾性変形に応じて移動する表示部４２ｄとが例えば熱可塑性樹脂などのプラスチック材料により一体成形されて成り、その表示部４２ｄに所定の色が着色されている。これにより、表示部の視認性が向上する。また、図１４の例では、当接面部４１１ｄの先端側（図では下端側）がさらに屈曲されて、図１０と同様の強固な支持効果を有する構造になっている。
【００５０】
図１５は本発明の第５実施形態に係る端子装置を示す断面図、図１６は図１５に示す表示部材の斜視図で、これらの図を用いて以下に第５実施形態の説明を行う。
【００５１】
図１５に示す端子装置１ｅは、例えば壁面などに取付枠などを介して埋め込まれる１個モジュールサイズのスイッチまたはコンセントなどであり、熱可塑性樹脂などの絶縁材料により形成されるボディ２１ｅおよびカバー２２ｅにより成る端子本体２ｅを備え、従来のスイッチまたはコンセントなどと同様に、複数の速結端子部３ａおよび解除釦５ａなどを上記端子本体２ｅに内蔵している。
【００５２】
その他従来のスイッチまたはコンセントなどと同様の構成については周知であるのでその説明は省略し、第５実施形態の特徴となる構成について説明すると、端子装置１ｅは、各速結端子部３ａへの電線の挿入度合いに応じて弾性変形するバネ部４１ｅと、このバネ部４１ｅの弾性変形に応じて移動する表示部４２ｅとが例えば熱可塑性樹脂などのプラスチック材料または金属材料により一体に形成されて成る表示部材４ｅを備えている。
【００５３】
バネ部４１ｅは、端子本体２ｅ内部における鎖錠バネ３２ａの奥側で電線の導体線と当接する当接面部４１１ｅを一端側に有するＬ字状に屈曲されて成り、対応する速結端子部３ａに電線を挿入してその電線の導体線が端子板３１ａおよび鎖錠バネ３２ａにより弾性狭持された状態で当接面部４１１ｅに当接した後に、対応する速結端子部３ａへの電線の挿入度合いに応じて弾性変形する。また、図１０と同様の強固な支持効果を具備すべく、図１６に示すように、当接面部４１１ｅの一端側縁部からその他端側と対面するように立設する強固定部４３ｅが一体に形成されている。また、表示部４２ｅはバネ部４１ｅの他端側の先端部分に位置し、所定の色に着色されている。さらに、バネ部４１ｅの他端側の基端部分には切り欠け、図１６の例では孔４４ｅが穿設されている。
【００５４】
ここで、端子本体２ｅのボディ２１ｅは、図１５に示すように、収納室２１１ａおよび電線挿入孔２１３ａなどを第１実施形態のボディ２１ａと同様に有しているほか、表示部４２ｅを露出させるための窓孔２１６ｅを側面に有している。図１５の例では、バネ部４１ｅが弾性変形するほど表示部４２ｅが窓孔２１６ｅから一層露出する一方、バネ部４１ｅが弾性変形する前は、表示部材４ｅの孔４４ｅが窓孔２１６ｅに対応する位置にくる構造になっている。
【００５５】
図１７は図１５に対応する端子装置の側面図、図１８は図１５に示す端子装置に電線が挿入された状態を示す図、図１９は図１８に対応する端子装置の側面図で、これらの図を用いて次に第５実施形態の特徴となる各表示部材４ｅの動作を説明する。
【００５６】
まず、電線Ｗが速結端子部３ａに挿入されていない場合には、図１５に示すように、その速結端子部３ａに対応する表示部材４ｅは、この表示部４２ｅが窓孔２１６ｅから隠れて（図１７参照）、この窓孔２１６ｅに表示部材４ｅの孔４４ｅが位置する状態になる。
【００５７】
この状態で、図１８に示すように、電線挿入孔２１３ａから電線Ｗの導体線ＣＷを挿入すると、導体線ＣＷは、端子板３１ａおよび鎖錠バネ３２ａにより弾性狭持され、この後、表示部材４ｅの当接面部４１１ｅに当接する。さらに電線Ｗを挿入すると、電線Ｗの挿入度合いに応じて表示部材４ｅのバネ部４１ｅが弾性変形し、このバネ部４１ｅの弾性変形に応じて表示部４２ｅが移動して窓孔２１６ｅから露出する（図１９参照）。この状態では、図１８から分かるように、電線Ｗの導体線ＣＷは速結端子部３ａに確実に接続している。つまり、表示部材４ｅの表示部４２ｅが窓孔２１６ｅから露出した状態になると、電線Ｗの導体線ＣＷが速結端子部３ａに確実に接続したことが分かるのである。
【００５８】
以上により、表示部材４ｅは大きなスペースを必要とせず、表示部材４ｅにおける表示部４２ｅと孔４４ｅとが見え隠れするので、省スペースで変化の分かりやすい効果が得られる。また、端子本体２ｅからの表示部材４ｅの突出をなくすことが可能になる。
【００５９】
なお、第５実施形態では、表示部材４ｅには、着色した表示部４２ｅおよび孔４４ｅの双方が設けられる構造になっているが、これに限らず、着色した表示部および孔のいずれか一方を設ける構造でもよい。この構造でも、電線の導体線が速結端子部に確実に接続したことが分かる。ここで、その一例を図２０に示す。この図における表示部材４ｆは、速結端子部への電線の挿入度合いに応じて弾性変形するバネ部４１ｆと、このバネ部４１ｆの弾性変形に応じて移動する表示部４２ｆとが例えば熱可塑性樹脂などのプラスチック材料または金属材料により一体に形成されて成り、その表示部４２ｆの基端側に孔４４ｆが穿設される構造になっている。
【００６０】
また、第５実施形態では、ボディ２１ｅの側面に単に窓孔２１６ｅが設けられる構造になっているが、これに限らず、窓孔にレンズを装着する構造でもよい。ここで、その一例を図２１に示す。ただし、図２１（ａ），（ｂ）はそれぞれ電線の挿入前後の状態を示す。図２１の例では、レンズ６が窓孔２１６ｅの外面側に装着されている。これにより、表示部４２ｅの視認性が向上する。
【００６１】
図２２は本発明の第６実施形態に係る端子装置を示す断面図、図２３は図２２に示す表示部材の端子本体内への収納の様子を示す図で、これらの図を用いて以下に第６実施形態について説明すると、本端子装置１ｇは、端子本体２ｇおよび表示部材４ｇ以外は第２実施形態と同様に構成される。
【００６２】
端子本体２ｇは、収納室２１１ａを形成する内側の隔壁の先端中央に突部２１７ｇを有する以外は第２実施形態のボディ２１ａと同様に形成されるボディ２１ｇと、第２実施形態と同様のカバー２２ａとにより構成されている。
【００６３】
表示部材４ｇは、各速結端子部３ａへの電線の挿入度合いに応じて弾性変形するバネ部４１ｇと、このバネ部４１ｇの弾性変形に応じて移動する表示部４２ｇとが例えば熱可塑性樹脂などのプラスチック材料により一体成形されて構成されている。なお、第１実施形態の表示部材４ａと同様に、バネ部が金属材料により形成され、このバネ部の他端側先端に成型品の表示部が取り付けられる構成でもよい。
【００６４】
バネ部４１ｇは、端子本体２ｇ内部における鎖錠バネ３２ａの奥側で電線の導体線と当接する当接面部４１１ｇを一端側に有するＬ字状に屈曲されて成り、対応する速結端子部３ａに電線を挿入してその電線の導体線が端子板３１ａおよび鎖錠バネ３２ａにより弾性狭持された状態で当接面部４１１ｇに当接した後に、対応する速結端子部３ａへの電線の挿入度合いに応じて弾性変形する。また、バネ部４１ｇの当接面部４１１ｇの一端側には、ボディ２１ｇの突部２１７ｇが挿入される孔４１２ｇが穿設されている。
【００６５】
次に、表示部材４ｇの端子本体２ｇ内への収納手順を概説する。まず、表示部４２ｇが表示孔２１２ａから突出するように表示部材４ｇをボディ２１ｇに収納する。この後、表示部材４ｇの孔４１２ｇにボディ２１ｇの突部２１７ｇを挿入し、熱溶着で表示部材４ｇをボディ２１ｇに固定する（図２３参照）。この後、ボディ２１ｇおよびカバー２２ａを固定すれば、図２２に示すように、当接面部４１１ｇの先端側がカバー２２ａの突部２２１ａと鎖錠バネ３２ａの奥側部分とでさらに狭持される。なお、表示部材４ｇの動作については第２実施形態の表示部材４ｂと同様である。
【００６６】
以上により、第２実施形態と同様の効果が得られるほか、当接面部４１１ｇの先端側がカバー２２ａの突部２２１ａと鎖錠バネ３２ａの奥側部分とで狭持されるとともに、当接面部４１１ｇの先端部分がボディ２１ｇに熱溶着により固定されるので、各表示部材４ｇが強固に支持されることになる。
【００６７】
なお、上記第１〜第６実施形態では、表示部材は、電線の導体線の外径寸法に関わらず、電線の挿入に応じて弾性変形する構造になっているが、当接面部における電線と当接する部分に、適用電線の導体線の外径より小さい孔または切り欠けが形成される構造でもよい。ここで、その一例を図２４に示す。図２４の例では、表示部材４ｈは、速結端子部３ａへの電線の挿入度合いに応じて弾性変形するバネ部４１ｈと、このバネ部４１ｈの弾性変形に応じて移動する表示部４２ｈとを一体に備えて構成されており、当接面部４１１ｈの電線と当接する部分に適用電線の導体線の外径より小さい切り欠け４１３ｈが形成されている。これにより、図２５（ａ）およびこの一部断面図である図２５（ｂ）に示すように、適用電線Ｗの導体線ＣＷが当接面部４１１ｈに必ず当接することになる一方、切り欠け４１３ｈより小さい外径の導体線ＣＷｓの電線Ｗｓでは、図２５（ｃ）およびこの一部断面図である図２５（ｄ）に示すように、導体線ＣＷｓが切り欠け４１３ｈを通り抜けることになるので、表示部材４ｈは、電線Ｗｓの挿入に応じて弾性変形しなくなる。この結果、挿入した電線が適用電線より径の小さいことを作業者に認識させることができるので、適用電線よりも径の小さい電線の使用を防止することが可能になる。
【００６８】
また、上記各実施形態において、表示部に所定の色を着色する場合、電圧極が同極になる各表示部に対して同じ色を着色するようにしてもよい。ここで、図２６（ａ），（ｂ）にそれぞれ１個モジュールサイズのスイッチおよびコンセントの背面図を示す。これら双方のいずれにおいても、上方の２つの電線挿入孔２１３ａは電圧極が同極で対になっており、下方の２つの電線挿入孔２１３ａも電圧極が同極で対になっている。この場合、上方の一対の電線挿入孔２１３ａに対応する両表示部材の表示部を同じ色で着色して、それと異なる色で下方の一対の電線挿入孔２１３ａに対応する両表示部材の表示部を着色すればよい。このように異極接続端子を色で区別すれば、電圧極の区別が容易になる。
【００６９】
図２７は本発明の第７実施形態に係る端子装置を示す断面図、図２８は電線を挿入する前の表示部の様子を示す図、図２９は電線挿入後の表示部の様子を示す図で、これらの図を用いて以下に第７実施形態の説明を行う。
【００７０】
本端子装置１ｉは、各速結端子部３ａへの電線の挿入度合いに応じて弾性変形するバネ部４１ｉと、このバネ部４１ｉの弾性変形に応じて移動する表示部４２ｉとが例えば熱可塑性樹脂などのプラスチック材料により一体成形されて成る表示部材４ｉを備えている以外は第２実施形態と同様に構成される。
【００７１】
バネ部４１ｉは、端子本体２ａ内部における鎖錠バネ３２ａの奥側で電線Ｗの導体線ＣＷと当接する当接面部４１１ｉを一端側に有するＬ字状に屈曲されて成り、対応する速結端子部３ａに電線Ｗを挿入して電線Ｗの導体線ＣＷが端子板３１ａおよび鎖錠バネ３２ａにより弾性狭持された状態で当接面部４１１ｉに当接した後に、対応する速結端子部３ａへの電線Ｗの挿入度合いに応じて弾性変形する。また、強固な支持効果を具備すべく、当接面部４１１ｉの一端側縁部からその他端側と対面するように立設する強固定部４３ｉが一体に形成されている。さらに、表示部４２ｉは、バネ部４１ｉの他端側における電線Ｗを挿入すべき長さに対応した領域に所定の色が塗布されて成っている。図２８の例では、速結端子部３ａに電線Ｗを挿入する前の表示孔２１２ａからの表示部４２ｉの突出長は、電線Ｗを挿入すべき長さに対応しており、また速結端子部３ａに電線Ｗを挿入する前の表示孔２１２ａからの表示部材４ｉの突出長は、電線のストリップ長になっている。
【００７２】
このように、表示部材４ｉの突出長を電線のストリップ長とほぼ同じ長さにすると、電線Ｗのシースの剥きしろが分かりやすくなる。また、表示部４２ｉの突出長を電線Ｗを挿入すべき長さに対応させることにより、図２９に示すように、表示部４２ｉが隠れて見えなくなると、電線Ｗの導体線ＣＷが速結端子部３ａに確実に接続したことが分かるので、電線Ｗの挿入を適切に停止させることが可能になる。
【００７３】
【発明の効果】
以上のことから明らかなように、請求項１記載の発明によれば、端子本体と、端子板および鎖錠バネにより成り前記端子本体内に収納される速結端子部と、この速結端子部への電線の挿入度合いに応じて弾性変形するバネ部、およびこのバネ部の弾性変形に応じて移動する表示部により成る表示部材とを備えるので、大きなスペースを必要としない表示部材を得ることができる。また、前記バネ部は、前記端子本体内部における前記鎖錠バネの奥側で前記電線と当接する当接面部を一端側に有するＬ字状に屈曲されて成り、前記当接面部における前記電線と当接する部分には、適用電線の導体線の外径より小さい孔または切り欠けが形成されているので、適用電線よりも径の小さい電線の使用を防止することが可能になる。
【００７４】
請求項２記載の発明によれば、請求項１記載の端子装置において、前記速結端子部に前記電線を挿入してその電線が前記端子板および鎖錠バネにより弾性狭持された状態で前記当接面部に当接した後に、前記速結端子部へのその電線の挿入度合いに応じて弾性変形するので、表示部が移動すれば電線が速結端子部に適切に接続されたのが分かる。
【００７５】
請求項３記載の発明によれば、請求項２記載の端子装置において、前記表示部は前記バネ部の他端側の先端部分に位置し、前記端子本体は前記表示部を外部に突出させるための表示孔を有するので、表示部が表示孔に隠れる方向に移動すると、電線が速結端子部に適切に接続されたのが分かる。
【００７６】
請求項４記載の発明によれば、請求項２または３記載の端子装置において、前記バネ部は金属材料により成り、前記表示部は、絶縁材料により成り、前記バネ部の他端側の先端部分に取り付けられているので、表示部が移動すれば電線が速結端子部に適切に接続されたのが分かる。
【００７７】
請求項５記載の発明によれば、請求項１〜３のいずれかに記載の端子装置において、前記表示部材は弾性を有するプラスチック材料により一体成形されて成るので、部品点数の増大抑制が可能になる。
【００７８】
請求項６記載の発明によれば、請求項１〜５のいずれかに記載の端子装置において、前記表示部材を複数備え、これら複数の表示部材は前記端子本体内部側で絶縁性のつなぎ部を介して連設されているので、表示部材の位置決めが容易になる。
【００７９】
請求項７記載の発明によれば、請求項１，２，３または５記載の端子装置において、前記表示部材を複数備え、これら複数の表示部材は前記端子本体内部側で一体に接続されているので、表示部材の組込みが容易になる。
【００８０】
請求項８記載の発明によれば、請求項１〜７のいずれかに記載の端子装置において、前記表示部はＬ字状に形成されて成るので、表示部の視認性が向上する。
【００８１】
請求項９記載の発明によれば、請求項８記載の端子装置において、前記端子本体は前記表示部の退避部を有するので、表示部の移動時の変化が分かりやすくなる。
【００８２】
請求項１０記載の発明によれば、請求項２記載の端子装置において、前記表示部は前記バネ部の他端側に位置し、前記端子本体は前記表示部を露出させるための窓孔を有し、前記表示部は前記バネ部が弾性変形するほど前記窓孔から露出する部分が大きくなるので、端子本体からの表示部材の突出をなくすことが可能になる。
【００８３】
請求項１１記載の発明によれば、請求項１０記載の端子装置において、前記バネ部が弾性変形する前のそのバネ部の他端側における前記窓孔に対応する位置には、切り欠けまたは孔が形成されているので、窓孔における表示部の有無の変化が分かりやすくなる。
【００８４】
請求項１２記載の発明によれば、請求項１〜１１のいずれかに記載の端子装置において、前記表示部は所定の色に着色されているので、表示部の視認性が向上する。
【００８５】
請求項１３記載の発明によれば、請求項１０〜１２のいずれかに記載の端子装置において、前記窓孔にはレンズが装着されているので、表示部の視認性が向上する。
【００８６】
請求項１４記載の発明によれば、請求項１〜１３のいずれかに記載の端子装置において、前記表示部は熱可塑性樹脂により形成されて成るので、位置決めおよび組込みが容易になる。
【００８７】
請求項１５記載の発明によれば、請求項１〜１４のいずれかに記載の端子装置において、前記端子本体は熱可塑性樹脂により形成されて成るので、位置決めおよび組込みが容易になる。
【００８９】
請求項１６記載の発明によれば、請求項１〜１５のいずれかに記載の端子装置において、前記表示部材を複数備え、これら複数の表示部材の各表示部は、電圧極が同極の他の表示部と同じ色に着色されているので、電圧極の区別が容易になる。
【００９０】
請求項１７記載の発明によれば、請求項１〜９，１２および１４〜１６のいずれかに記載の端子装置において、前記速結端子部に前記電線を挿入する前の前記表示孔からの前記表示部材の突出長は、電線のストリップ長になっているので、電線のシースの剥きしろが分かりやすくなる。
【図面の簡単な説明】
【図１】本発明の第１実施形態に係る端子装置を示す断面図である。
【図２】図１に示す端子装置に電線が挿入された状態を示す図である。
【図３】第１実施形態の表示部材を示す斜視図である。
【図４】第１実施形態の表示部材の断面図である。
【図５】本発明の第２実施形態に係る端子装置を示す断面図である。
【図６】第２実施形態の表示部材を示す斜視図である。
【図７】図６に示す表示部材の端子本体内への収納の様子を示す図である。
【図８】図６に示す表示部材の作動の様子を示す図である。
【図９】複数の表示部材の連設例を示す図である。
【図１０】複数の表示部材の連設例を示す図である。
【図１１】図１０の複数の表示部材を組み込んだ後の様子を示す図である。
【図１２】本発明の第３実施形態に係る端子装置の表示部材などを示す図である。
【図１３】本発明の第４実施形態に係る端子装置のボディなどを示す図である。
【図１４】表示部材の着色例を示す図である。
【図１５】本発明の第５実施形態に係る端子装置を示す断面図である。
【図１６】図１５に示す表示部材の斜視図である。
【図１７】図１５に対応する端子装置の側面図である。
【図１８】図１５に示す端子装置に電線が挿入された状態を示す図である。
【図１９】図１８に対応する端子装置の側面図である。
【図２０】表示部材に対して、着色した表示部および孔のうち、孔を表示部材に設けた例を示す図である。
【図２１】窓孔にレンズを装着した例を示す図である。
【図２２】本発明の第６実施形態に係る端子装置を示す断面図である。
【図２３】図２２に示す表示部材の端子本体内への収納の様子を示す図である。
【図２４】当接面部における電線と当接する部分に、適用電線の導体線の外径より小さい切り欠けを形成した例を示す図である。
【図２５】図２４に示す当接面部と適用電線および径の小さい適用外電線との関係を示す図である。
【図２６】１個モジュールサイズのスイッチおよびコンセントの背面図である。
【図２７】本発明の第７実施形態に係る端子装置を示す断面図である。
【図２８】電線を挿入する前の表示部の様子を示す図である。
【図２９】電線挿入後の表示部の様子を示す図である。
【符号の説明】
１ａ，１ｂ，１ｅ，１ｇ，１ｉ  端子装置
２ａ，２ｅ，２ｇ  端子本体
２１ａ，２１ｂ，２１ｅ  ボディ
２１１ａ  収納室
２１２ａ  表示孔
２１３ａ  電線挿入孔
２１４ａ  孔
２１５ｂ  退避部
２１６ｅ  窓孔
２１７ｇ  突部
２２ａ，２２ｅ  カバー
２２１ａ  突部
３ａ  速結端子部
３１ａ  端子板
３２ａ  鎖錠バネ
４ａ，４ｂ，４ｃ，４ｄ，４ｅ，４ｆ，４ｇ，４ｈ，４ｉ  表示部材
４１ａ，４１ｂ，４１ｃ，４１ｄ，４１ｅ，４１ｆ，４１ｇ，４１ｈ，４１ｉ
バネ部
４１１ａ，４１１ｂ，４１１ｄ，４１１ｅ，４１１ｇ，４１１ｈ，４１１ｉ
当接面部
４１２ｇ  孔
４１３ｈ  切り欠け
４２ａ，４２ｂ，４２ｃ，４２ｄ，４２ｅ，４２ｆ，４２ｇ，４２ｈ  表示部
４２１ａ  溝
４３ａ，４３ｂ  つなぎ部
４３ｅ，４３ｉ  強固定部
４３１ａ  溝
４４ｅ，４４ｆ  孔
５ａ  解除釦
６  レンズ
Ｗ  電線
ＣＷ  導体線
【図１】
0004178675.tif 000002
【図２】
0004178675.tif 000003
【図３】
0004178675.tif 000004
【図４】
0004178675.tif 000005
【図５】
0004178675.tif 000006
【図６】
0004178675.tif 000007
【図７】
0004178675.tif 000008
【図８】
0004178675.tif 000009
【図９】
0004178675.tif 000010
【図１０】
0004178675.tif 000011
【図１１】
0004178675.tif 000012
【図１２】
0004178675.tif 000013
【図１３】
0004178675.tif 000014
【図１４】
0004178675.tif 000015
【図１５】
0004178675.tif 000016
【図１６】
0004178675.tif 000017
【図１７】
0004178675.tif 000018
【図１８】
0004178675.tif 000019
【図１９】
0004178675.tif 000020
【図２０】
0004178675.tif 000021
【図２１】
0004178675.tif 000022
【図２２】
0004178675.tif 000023
【図２３】
0004178675.tif 000024
【図２４】
0004178675.tif 000025
【図２５】
0004178675.tif 000026
【図２６】
0004178675.tif 000027
【図２７】
0004178675.tif 000028
【図２８】
0004178675.tif 000029
【図２９】
0004178675.tif 000030